(57)【要約】      （修正有）【課題】左利きの人にも右利きの人にも使い易く、人の利き手による使用性の課題を解決できる携帯型情報端末用ケースを提供する。【解決手段】正面に携帯型情報端末が取り付けられる端末保持部３と、基端５が端末保持部３の背面の左右中心部において左右方向に対して反転可能に連接された保護板７とを設けたことにより、従来は一方向だけの折り曲げであったのに対して、二方向の折り曲げができることになり、携帯型情報端末用ケース１の開閉及び携帯型情報端末の使い勝手が、左利きの人にとっても、また右利きの人にとっても同じ様に使い易くなるので、使う人の立場に立った携帯型情報端末用ケース１を提供できる。【選択図】図１
0003202715.tif 000002
【実用新案登録請求の範囲】
【請求項１】
正面に携帯型情報端末が取り付けられる端末保持部と、
基端が、前記端末保持部の背面の左右中心部において左右方向に対して反転可能に連接された保護板と、を有し、
前記保護板は、前記背面の左右半部と重なると共に、前記背面から正面側に折り曲げられ、前記端末保持部の一側辺を回り込んで正面を覆い得る長さを有し、
前記保護板は、前記基端において左右に反転可能であって前記背面から左右両方に折り曲げ可能であると共に、前記端末保持部の側辺を回り込んで正面を覆って保護可能に形成されている
ことを特徴とする携帯型情報端末用ケース。
【請求項２】
前記端末保持部の背面、及び前記保護板の表裏面のいずれにも、表地として使用できる装飾が設けられてなる
ことを特徴とする請求項１に記載の携帯型情報端末用ケース。
【考案の詳細な説明】
【技術分野】
【０００１】
本考案は、スマートフォンや携帯電話等の携帯型情報端末を着脱可能に取り付けて保護する携帯型情報端末用ケースに関する。
【背景技術】
【０００２】
近年、高度化されたスマートフォン等を装着する携帯型情報端末用ケースは、その形状、或いは装飾が市場の要望にマッチするように目覚ましく発展してきている中で、特に二つ折りの見開き形状の手帳型タイプの構成を有するものが多く用いられている。その一例として、携帯型情報端末の側面、及び背面が嵌め込まれるケース本体と、ケース本体が取り付けられる保護カバーとを備えた携帯型情報端末用ケースが知られている（特許文献１参照）。
【先行技術文献】
【特許文献】
【０００３】
【特許文献１】特開２０１４−１５５１３５号公報
【考案の概要】
【考案が解決しようとする課題】
【０００４】
しかし、従来技術の携帯型情報端末用ケースは、二つ折りの一方向にのみ開くことができる見開き形状の手帳型タイプとなっているために、例えば、右利きの人には使い易かったが、左利きの人には少し使いづらいという、人の利き手による使用性の課題があった。
【０００５】
また、携帯型情報端末用ケースの表面は、各様にデザインされた装飾が施された商品レンジの中から、好みの携帯型情報端末用ケースを選択するしかなかったが、携帯型情報端末用ケースの装飾の選択肢を広げることで、携帯型情報端末用ケースを楽しみたいという市場の要望があった。
【課題を解決するための手段】
【０００６】
そこで、上記課題を解決するための手段として本考案に係る携帯型情報端末用ケースは、正面に携帯型情報端末が取り付けられる端末保持部と、基端が、前記端末保持部の背面の左右中心部において左右方向に対して反転可能に連接された保護板と、を有し、前記保護板は、前記背面の左右半部と重なると共に、前記背面から正面側に折り曲げられ、前記端末保持部の一側辺を回り込んで正面を覆い得る長さを有し、前記保護板は、前記基端において左右に反転可能であって前記背面から左右両方に折り曲げ可能であると共に、前記端末保持部の側辺を回り込んで正面を覆って保護可能に形成されてなる。
【０００７】
さらに本考案は、前記端末保持部の背面、及び前記保護板の表裏面のいずれにも、表地として使用できる装飾が設けられてなることとしても良い。
【０００８】
このようにしてなる前記携帯型情報端末用ケースは、前記端末保持部で前記携帯型情報端末が保持されると共に、前記端末保持部の背面の左右中心部において左右方向に対して反転可能に連接された前記保護板が前記基端を軸として左右両方に折り曲げ可能にしたことにより、右回りに折り曲げて使う際は右利きの人が使い易く、一方、左回りに折り曲げて使う際には左利きの人が使い易くなる。または、その逆に、右回りに折り曲げて使う際は左利きの人が使い易く、一方、左回りに折り曲げて使う際には右利きの人が使い易くなることもあり得る。つまり、使う人の選択肢が増えることになる。
【０００９】
また、前記保護板は、前記端末保持部の背面の左右半部と重なると共に、前記背面から正面側に折り曲げられ、前記端末保持部の一側辺を回り込んで正面を覆い得る十分な長さを有していることにより、前記携帯型情報端末の全周を覆うことができるために、前記携帯型情報端末を着脱可能に取り付けて保護するという前記携帯型情報端末用ケースの本来の目的にも沿うものである。
【００１０】
また、前記携帯型情報端末用ケースは、前記端末保持部の背面、及び前記保護板の表裏面のいずれにも表地として使用できるようにデザインされた装飾が設けられていることにより、例えば、すべての面が同一装飾、或いは表面と裏面とは相違装飾等々、装飾の選択範囲が広がることになる。
【００１１】
また、前記保護板が前記基端を軸として左右両方に折り曲げ可能にしたことにより、従来は一方向だけの折り曲げであったのに対して、二方向の折り曲げができることになるので、人の利き手に関係なく、前記携帯型情報端末用ケースの開閉方向に自由度が出てくる。
【考案の効果】
【００１２】
本考案によれば、前記保護板が前記基端を軸として左右両方に折り曲げ可能にしたことにより、従来は一方向だけの折り曲げであったのに対して、二方向の折り曲げができることになり、前記携帯型情報端末用ケースの開閉及び前記携帯型情報端末の使い勝手が、人の利き手別に対応できることにより、左利きの人にとっても、また右利きの人にとっても同じ様に使い易くなるので、使う人の立場に立った前記携帯型情報端末用ケースを提供できる。
【００１３】
また、前記端末保持部と前記保護板は、その表裏面のいずれにも表地として使用できる装飾が設けられたことにより、季節の節目の衣替えのように、表裏面をその時の気分によって切り替えて使用することができる。
【００１４】
また、その装飾自体も表裏面を同一の装飾、或いは表面と裏面では相違の装飾、さらには、表裏面を関連付ける装飾等々により、装飾のデザインの選択肢も大幅に広がる前記携帯型情報端末用ケースを提供できる。
【００１５】
さらに、前記保護板が前記基端を軸として左右両方に折り曲げ可能にしたことにより、前記携帯型情報端末用ケースの開閉方向に自由度が出てくると共に、それに伴って前記携帯型情報端末の操作性も向上する。
【００１６】
さらに、前記端末保持部と、前記端末保持部の背面の左右中心部において左右方向に反転可能に連接された前記保護板の一部が、携帯型情報端末の裏面で重複してその部分が厚くなっていることにより、前記携帯型情報端末を保護するという観点からも前記携帯型情報端末用ケースの強度が向上することにもなる。
【図面の簡単な説明】
【００１７】
【図１】本考案の携帯型情報端末用ケースの一実施例を示し、携帯型情報端末用ケースの正面からみた斜視図である。
【図２】図１の携帯型情報端末用ケースの一実施例を示し、携帯型情報端末用ケースの背面からみた斜視図である。
【図３】図１の携帯型情報端末用ケースの一実施例を示し、携帯型情報端末が携帯型情報端末用ケースにセットされた状態で、且つ端末保持部から保護板を浮かせた状態にした携帯型情報端末用ケースを正面からみた斜視図である。
【図４】図１の携帯型情報端末用ケースの一実施例を示し、携帯型情報端末が携帯型情報端末用ケースにセットされ、保護板が端末保持部の一の側辺を回り込んで正面を覆って保護可能に形成された状態で、且つ保護板の先端に設けられたバンドで閉じた状態にした携帯型情報端末用ケースの斜視図である。
【図５】図１の携帯型情報端末用ケースの一実施例を示し、保護板の移動方向が分かる携帯型情報端末用ケースの平面図である。
【図６】図１の携帯型情報端末用ケースの一実施例を示し、基端を軸として保護板を略１８０度反転させた携帯型情報端末用ケースの正面からみた斜視図である。
【図７】図６の携帯型情報端末用ケースの一実施例を示し、携帯型情報端末用ケースの背面からみた斜視図である。
【図８】図６の携帯型情報端末用ケースの一実施例を示し、携帯型情報端末が携帯型情報端末用ケースにセットされ、保護板が端末保持部の他の側辺を回り込んで正面を覆って保護可能に形成された状態で、且つ保護板の先端に設けられたバンドで閉じた状態にした携帯型情報端末用ケースの斜視図である。
【考案を実施するための形態】
【００１８】
以下、本考案に係る実施の形態を、図を参照しながら詳しく説明する。
【００１９】
本考案の携帯型情報端末用ケース１は、図１乃至図８に示すように、正面に携帯型情報端末Ｐが取り付けられる端末保持部３と、基端５が、前記端末保持部３の背面３１の左右中心部において左右方向に対して反転可能に連接された保護板７と、を有する。前記保護板７は、前記背面３１の左右半部と重なると共に、前記背面３１から正面側に折り曲げられ、前記端末保持部３の一の側辺７１３、若しくは他の側辺７３３を回り込んで正面３３を覆い得る長さを有する。前記保護板７は、前記基端５において左右に反転可能であって前記背面３１から左右両方に折り曲げ可能であると共に、前記端末保持部３の一の側辺７１３、若しくは他の側辺７３３を回り込んで前記正面３３を覆って保護可能に形成されてなる。
【００２０】
前記保護板７は、第一の保護板７１と第二の保護板７３とからなり、前記第一の保護板７１は前記背面３１の右半部に貼着されてなる第一の固定保護板７１１と前記基端５において連接されてなり、且つ前記第二の保護板７３は前記背面３１の左半部に貼着されてなる第二の固定保護板７３１と前記基端５において連接されてなる。尚、前記基端５は前記第一及び第二の固定保護板７１１、７３１と柔軟に連接している。
【００２１】
前記端末保持部３は、矩形に形成されてなる背板３５と、前記背板３５の周縁を取り囲んで立接されてなる保持壁３７を備えてなり、前記携帯型情報端末Ｐを前記保持壁３７内に嵌め込んで保持することができる。尚、前記端末保持部３の他の形態としては、前記保持壁３７に代えて前記背板３５の正面に粘着板を備えてなるものであっても良い。
【００２２】
前記保護板７は、前記基端５を軸として、前記背面３１の左右半部と重なると共に、前記背面３１から正面側に折り曲げられ、前記端末保持部３の前記一の側辺７１３、若しくは他の側辺７３３を回り込んで前記正面３３を覆うために、前記保護板７の屈曲部として、前記基端５、第一の屈曲部７５、及び第二の屈曲部７７を有している。
【００２３】
前記保護板７は、矩形の平板状に形成されてなる。前記保護板７の左右中心部分は、前記端末保持部３の前記保持壁３７の高さよりも僅かに幅広の前記第一の屈曲部７５を形成されてなり、前記第一の屈曲部７５において折り曲げることができる。また、前記保護板７は、前記第一の屈曲部７５よりも前記基端５側部分が前記端末保持部３の前記背面３１の左右半部と同じ幅に形成されてなる延長板部９１が形成され、且つ前記第一の屈曲部７５よりも先端側部分が前記端末保持部３全体の幅と同じ幅に形成されてなる平板部７７１を形成されてなる。
【００２４】
前記平板部７７１の先端縁の上下中心部には、外方へ延出してなる帯状の柔軟なバンド７９を設けられている。前記バンド７９の基端は前記平板部７７１に対して柔軟に折り曲げ可能な前記第二の屈曲部７７が形成されてなり、前記保護板７を折り曲げて前記端末保持部３の前記背面３１の前記第一及び第二の固定保護板７１１、７３１のいずれかで前記バンド７９を固定することによって、前記保護板７の閉状態を保持することができる。
【００２５】
前記第一の屈曲部７５は、前記延長板部９１及び前記平板部７７１と同じく硬い帯状の樹脂板を用いても良い。この場合、前記第一の屈曲部７５と前記延長板部９１との境界部分、及び前記第一の屈曲部７５と前記平板部７７１との境界部分を、幅狭で柔軟な樹脂等によって形成した屈曲線部Ｔとすることが好ましい。さらに前記屈曲線部Ｔは図５に示すように、表面及び裏面のいずれも厚み中心に向かって凹状となるくびれを形成してなることが好ましい。このように形成された前記屈曲線部Ｔを介して、前記延長板部９１及び前記平板部７７１を、前記第一の屈曲部７５に対して直角となるまで屈曲させることができると共に、表面側及び裏面側のいずれにも屈曲させることができる。さらに前記保護板７を前記背面３１から正面側に向けて左右両方に折り曲げることができる。
【００２６】
前記基端５においてそれぞれ連接された前記第一の保護板７１と前記第二の保護板７３は、互いに貼り合わされて前記保護板７を形成されてなる。また、前記第一の保護板７１と前記第二の保護板７３は両方とも同一構成をしており、一層、或いは二層のポリウレタン樹脂等の人工皮革、或いは合成皮革からなる。尚、二層の場合はその中間に型紙、或いはアクリル板等からなる薄板の樹脂板を埋設することも好ましく、前記保護板７の強度を向上させて、前記携帯型情報端末Ｐの保護性能を高めることができる。
【００２７】
前記第一の屈曲部７５には屈曲し易いように凹状のくびれからなる前記屈曲線部Ｔが形成されてなることで、前記第一の屈曲部７５において前記背面３１から正面側に向けて左右両方に前記保護板７の折り曲げが可能となり、従来の一方向ではなく二方向に動作範囲が増えることで、前記端末保持部３を閉じている前記平板部７７１と前記バンド７９を利き手で掴むことができることにより、前記携帯型情報端末用ケース１の開閉をスムーズにすることができる。
【００２８】
他の例として、前記保護板７の屈曲部でもある前記基端５、前記第一の屈曲部７５、及び前記第二の屈曲部７７には柔らかい材料を使用し、それ以外の前記携帯型情報端末Ｐを保護する前記平板部７７１には硬い材料を使用することでも、前記第一の屈曲部７５において前記背面３１から正面側に向けて左右両方に前記保護板７の折り曲げが可能となる。
【００２９】
また、図２及び図７に示すように、前記保護板７の先端の略中央部に設けた前記バンド７９には、薄いフェライト磁石等からなる硬磁性材料７９１を埋設し、且つ前記保護板７の各屈曲部を折り曲げて前記携帯型情報端末用ケース１を左右両方のいずれかに閉じた際の前記バンド７９に対向する位置となる前記第一及び第二の固定保護板７１１、７３１にはそれぞれ薄い鉄等からなる軟磁性材料７９３を埋設されてなる。このことにより、前記バンド７９の前記硬磁性材料７９１が、前記第一及び第二の固定保護板７１１、７３１のいずれかの前記軟磁性材料７９３と引き付けあって前記携帯型情報端末用ケース１の閉じた状態を保持することができる。尚、前記バンド７９に埋設された前記硬磁性材料７９１と、前記第一及び第二の固定保護板７１１、７３１に埋設された前記軟磁性材料７９３とは入れ替えても良い。
【００３０】
図５に示すように、前記保護板７の折り曲げ方向を第一の方向Ａにした場合、前記第一の保護板７１が最初に前記背面３１の右半部の前記第一の固定保護板７１１と重なり、次に前記第一の屈曲部７５が前記端末保持部３の前記一の側辺７１３を回り込み、さらに前記平板部７７１が前記正面３３を覆って、最後に前記バンド７９に埋設された前記硬磁性材料７９１が前記第二の固定保護板７３１に埋設された前記軟磁性材料７９３と引き付けあって前記携帯型情報端末用ケース１の閉じた状態を保持することができる。
【００３１】
一方、前記保護板７の折り曲げ方向を第二の方向Ｂにした場合は、前記第二の保護板７３が最初に前記背面３１の左半部の前記第二の固定保護板７３１と重なり、次に前記第一の屈曲部７５が前記端末保持部３の前記他の側辺７３３を回り込み、さらに前記平板部７７１が前記正面３３を覆って、最後に前記バンド７９に埋設された前記硬磁性材料７９１が前記第一の固定保護板７１１に埋設された前記軟磁性材料７９３と引き付けあって前記携帯型情報端末用ケース１の閉じた状態を保持することができる。
【００３２】
このようにしてなる前記携帯型情報端末用ケース１は、前記保護板７が前記基端５を軸として左右両方に折り曲げ可能にしたことにより、従来は一方向だけの折り曲げであったのに対して、二方向の折り曲げができることになった。そのために、前記携帯型情報端末用ケース１の開閉及び前記携帯型情報端末Ｐの使い勝手が、人の利き手別に対応できることにより、左利きの人にとっても、また右利きの人にとっても同じ様に使い易くなる。従って、使う人の立場に立った前記携帯型情報端末用ケース１を提供できる。同じく、前記保護板７が前記基端５を軸として左右両方に折り曲げ可能にしたことにより、前記携帯型情報端末用ケース１の開閉方向に自由度が出てくると共に、それに伴って前記携帯型情報端末Ｐの操作性も向上する。
【００３３】
前記端末保持部３の上部には前記携帯型情報端末Ｐの撮像レンズが露出可能となり、且つ前記端末保持部３の前記背面３１に貼着された前記第一の固定保護板７１１を貫通する横長の第一の穴７５１を設けてなり、前記保護板７を前記第一の方向Ａに折り曲げた際に前記保護板７が前記第一の穴７５１を遮蔽しないように前記第一の穴７５１に対応する位置の前記保護板７に第二の穴７５３を設けてなる。
【００３４】
さらに、前記保護板７の前記平板部７７１の上部には前記携帯型情報端末Ｐのスピーカー用の横長の第三の穴７５５を設けてなり、前記端末保持部３の下端部には前記携帯型情報端末Ｐのマイク用の横長の第四の穴７５７を設けてなる。このようにしてなる前記携帯型情報端末用ケース１は、前記第一の穴７５１、前記第二の穴７５３、前記第三の穴７５５及び前記第四の穴７５７を設けることにより、前記携帯型情報端末Ｐのカメラ機能による撮影を簡便にすることができ、且つ前記携帯型情報端末Ｐのスピーカー・マイク機能による会話ができる。尚、これらの穴以外にもスイッチ用等の小形の穴を設けても好ましい。
【００３５】
前記端末保持部３の前記背面３１に貼着された前記第一の固定保護板７１１と前記第二の固定保護板７３１の表面、及び前記第一の保護板７１と前記第二の保護板７３の表裏面のいずれにも、表地として使用できるように装飾９、９（本実施形態においては、ウサギと菱形形状を模したイラストを例として示した）が設けられてなる。前記装飾９、９は、例えば、すべての面が同一装飾、或いは表面と裏面とは相違装飾、さらには表裏面を関連付ける装飾等々を採用できることにより、前記装飾９、９のデザインの選択肢も大幅に広がることになる。
【００３６】
また、前記装飾９、９のデザインは、本実施形態のようなウサギと菱形形状を模したイラストであったり、或いは動物や自然の写真であったり、また、動物や自然に限ることなく、例えば、ランドマークタワーであったり、或いはキャラクター商品であったり、そのバリエーションの広がりは言うまでもない。
【００３７】
このようにしてなる前記携帯型情報端末用ケース１は、前記携帯型情報端末Ｐが取り付けられる前記端末保持部３以外の表裏面が表地として使用できる装飾が設けられたことにより、前記装飾９，９自体も表裏面を同一の装飾、或いは表面と裏面では相違の装飾、さらには、表裏面を関連付ける装飾等々を選択できる。そのために、購入者の選択肢の幅が広がると共に、購入者の使用段階においても、季節の節目の衣替えのように、表裏面をその時の気分によって前記第一の方向Ａにするか、或いは前記第二の方向Ｂにするか、前記保護板７の折り曲げ方向を切り替えることが可能な前記携帯型情報端末用ケース１を提供できる。
【符号の説明】
【００３８】
１    携帯型情報端末用ケース
３    端末保持部
５    基端
７    保護板
９    装飾
３１    背面
３３    正面
３５    背板
３７    保持壁
７１    第一の保護板
７３    第二の保護板
７５    第一の屈曲部
７７    第二の屈曲部
７９    バンド
９１    延長板部
７１１    第一の固定保護板
７１３    一の側辺
７３１    第二の固定保護板
７３３    他の側辺
７５１    第一の穴
７５３    第二の穴
７５５    第三の穴
７５７    第四の穴
７７１    平板部
７９１    硬磁性材料
７９３    軟磁性材料
Ａ    第一の方向
Ｂ    第二の方向
Ｐ    携帯型情報端末
Ｔ    屈曲線部
【図１】
0003202715.tif 000003
【図２】
0003202715.tif 000004
【図３】
0003202715.tif 000005
【図４】
0003202715.tif 000006
【図５】
0003202715.tif 000007
【図６】
0003202715.tif 000008
【図７】
0003202715.tif 000009
【図８】
0003202715.tif 000010